(57)【要約】【課題】墓の場所を簡単に伝え、かつ、そこへ確実に案内することができるサーバシステムを提供すること。【解決手段】サーバシステム１３０の受信部３２１は、モバイル端末１２０から、故人の墓を目的地とするルート案内のリクエスト及びモバイル端末１２０の位置情報を受信する。リクエストに応答して、モバイル端末１２０の現在位置から故人の墓までのルートを案内する際、サーバシステム１３０の送信部３２３は、モバイル端末１２０が故人の墓の位置から所定範囲外にある場合には、地図上のルート案内を表示部２１１に表示させる情報をモバイル端末１２０に送信する一方、モバイル端末１２０が故人の墓の位置から所定範囲内に近づいた場合には、航空写真上のルート案内を表示部２１１に表示させる情報をモバイル端末１２０に送信する。【選択図】図３
2019028846.tif 000002
【特許請求の範囲】
【請求項１】
表示部を有するモバイル端末とネットワークを介して通信するサーバシステムであって、
故人の墓の位置を含む墓情報を記憶する墓情報記憶部と、
前記モバイル端末から、前記故人の墓を目的地とするルート案内のリクエスト及び前記モバイル端末の位置情報を受信する受信部と、
前記リクエストに応答して、前記モバイル端末の現在位置から前記故人の墓までのルートを案内する際、
前記モバイル端末が前記故人の墓の位置から所定範囲外にある場合には、地図上のル  ート案内を前記表示部に表示させる情報を前記モバイル端末に送信する一方、前記モバ  イル端末が前記故人の墓の位置から所定範囲内に近づいた場合には、航空写真上のルー  ト案内を前記表示部に表示させる情報を前記モバイル端末に送信する送信部と、
を備えた、サーバシステム。
【請求項２】
前記墓情報は、前記故人の墓の写真も含んでおり、
前記送信部は、前記モバイル端末が前記所定範囲内に近づいた場合、前記航空写真上のルート案内を表示させる前に、前記墓の写真を含む情報ウィンドウを前記表示部に表示させる、請求項１に記載のサーバシステム。
【請求項３】
前記情報ウィンドウは、今後のルート案内が前記地図上のものから前記航空写真上のものに切り替わる旨の表示を含んでいる、請求項２に記載のサーバシステム。
【請求項４】
前記送信部は、前記情報ウィンドウが閉じられた後、前記表示部に前記航空写真上のルート案内を表示させる、請求項２又は３に記載のサーバシステム。
【請求項５】
前記送信部は、前記表示部の第１の表示領域に前記航空写真上のルート案内を表示させながら、前記表示部の第２の表示領域に前記墓の写真を表示させる、請求項４に記載のサーバシステム。
【請求項６】
前記送信部は、前記表示部の前記第１の表示領域に前記航空写真上のルート案内を表示させながら、前記表示部の第３の表示領域に前記墓までの距離及び方向の少なくとも一つを表示させる、請求項５に記載のサーバシステム。
【請求項７】
前記受信部は、少なくとも車及び徒歩を含む、前記故人の墓への複数の移動モードの中から前記モバイル端末において選択された移動モードを受信し、
前記送信部は、選択された移動モードに応じて前記所定範囲の大きさを変更する、請求項１から６のいずれか一項に記載のサーバシステム。
【請求項８】
前記送信部は、前記故人の墓の位置を示す第１の指標と、前記墓の周辺にある参照箇所の位置を示す第２の指標とを、前記航空写真上のルート案内に重ねるように前記表示部に表示させる、請求項１から７のいずれか一項に記載のサーバシステム。
【請求項９】
前記表示部において前記第２の指標に対する操作がなされたことに応答して、
前記送信部は、前記参照箇所に関する情報を前記表示部に表示させる、請求項８に記載のサーバシステム。
【請求項１０】
表示部を有するモバイル端末とネットワークを介して通信するサーバシステムにおいて実行される方法であって、
故人の墓の位置を含む墓情報を記憶するステップと、
前記モバイル端末から、前記故人の墓を目的地とするルート案内のリクエスト及び前記モバイル端末の位置情報を受信するステップと、
前記リクエストに応答して、前記モバイル端末の現在位置から前記故人の墓までのルートを案内する際、
前記モバイル端末が前記故人の墓の位置から所定範囲外にある場合には、地図上のル  ート案内を前記表示部に表示させる情報を送信する一方、前記モバイル端末が前記故人  の墓の位置から所定範囲内に近づいた場合には、航空写真上のルート案内を前記表示部  に表示させる情報を送信するステップと、を含む、サーバシステムにおいて実行される  方法。
【請求項１１】
故人の墓の位置を含む墓情報を記憶する墓情報記憶部を有するサーバシステムとネットワークを介して通信するモバイル端末において実行されるプログラムであって、
前記モバイル端末を、
前記故人の墓を目的地とするルート案内のリクエストを受け付ける手段、
前記リクエスト及び前記モバイル端末の位置情報を前記サーバシステムに送信する手段、
前記リクエストに応答した前記サーバシステムより、前記モバイル端末の現在位置から前記故人の墓までのルート案内を受信する手段、及び
受信したルート案内を前記モバイル端末の表示部に表示させる手段であって、前記モバイル端末が前記故人の墓の位置から所定範囲外にある場合には地図上のルート案内を表示させる一方、前記モバイル端末が前記故人の墓の位置から所定範囲内に近づいた場合には航空写真上のルート案内を表示させる手段、
として機能させるプログラム。
【請求項１２】
前記墓情報は、前記故人の墓の写真も含んでおり、
前記表示させる手段は、前記モバイル端末が前記所定範囲内に近づいた場合、前記航空写真上のルート案内を表示させる前に、前記墓の写真を含む情報ウィンドウを前記表示部に表示させる、請求項１１に記載のプログラム。
【請求項１３】
前記情報ウィンドウは、今後のルート案内が前記地図上のものから前記航空写真上のものに切り替わる旨の表示を含んでいる、請求項１２に記載のプログラム。
【請求項１４】
前記表示させる手段は、前記情報ウィンドウが閉じられた後、前記表示部に前記航空写真上のルート案内を表示させる、請求項１２又は１３に記載のプログラム。
【請求項１５】
前記表示させる手段は、前記表示部の第１の表示領域に前記航空写真上のルート案内を表示させながら、前記表示部の第２の表示領域に前記墓の写真を表示させる、請求項１４に記載のプログラム。
【請求項１６】
前記表示させる手段は、前記表示部の前記第１の表示領域に前記航空写真上のルート案内を表示させながら、前記表示部の第３の表示領域に前記墓までの距離及び方向の少なくとも一つを表示させる、請求項１５に記載のプログラム。
【請求項１７】
前記表示させる手段は、前記故人の墓の位置を示す第１の指標と、前記墓の周辺にある参照箇所の位置を示す第２の指標とを、前記航空写真上のルート案内に重ねるように前記表示部に表示させる、請求項１１から１６のいずれか一項に記載のプログラム。
【請求項１８】
前記表示部において前記第２の指標に対する操作がなされたことに応答して、
前記表示させる手段は、前記参照箇所に関する情報を前記表示部に表示させる、請求項１７に記載のプログラム。
【発明の詳細な説明】
【技術分野】
【０００１】
本発明は、表示部を有するモバイル端末とネットワークを介して通信するサーバシステムの技術に関するものである。
【背景技術】
【０００２】
親族や知人から、故人の墓の場所を尋ねられた際、それを伝えるのが大変なことがある。この一番の大きな理由は、墓に住所がないからである。例えば、墓が霊園内にある場合、墓の場所を尋ねた人に霊園の名称や住所を伝えることはできるものの、霊園内のどこに墓があるのかを説明するのは大変である。霊園によっては、個々の墓に区画・番号が割り振られてはいるものの、墓の場所を尋ねられた人が、墓の区画・番号の情報だけを教えるのでは不十分と感じることがあるし、また、尋ねた人も、そのような情報だけで墓にたどり着けるのかを不安に感じることがある。
【０００３】
なお、墓の場所において、その故人の情報をＡＲで見たり聞いたりすることができるものは知られている（参照：特許文献１）。しかし、この特許文献には、墓の場所を伝える仕組みについては開示されていない。
【先行技術文献】
【特許文献】
【０００４】
【特許文献１】特許第５７８０３７２号
【発明の概要】
【発明が解決しようとする課題】
【０００５】
スマートフォンなど、近年のモバイル端末はＧＰＳセンサやカメラを搭載しており、そのカメラで撮影すると、撮影場所の位置データ（経度・緯度の情報）を写真データに含めることが可能となっている。このような写真データを墓の場所を尋ねた人に送れば、尋ねた人は、インターネットを通して提供されている地図（例えばGoogleマップ）の機能を使うことで墓の場所を知ることができる。また、写真データではなく、Googleマップ等において墓の場所を位置登録しておけば、尋ねた人に対して、同様に墓の位置情報を送ることもできる。しかし、尋ねた人が必ずしもそのような機能を十分に使いこなせるわけではない。また、写真データや位置情報の提供者にとっても、尋ねられるたびに都度対応せざるを得ず、これは大変な手間である。
【０００６】
他方、上記のインターネット上の地図機能を使いこなせる場合であっても、住所地がない墓にたどり着くのはやはり大変である。例えば、モバイル端末でインターネット上の地図を表示し、墓の場所（写真データに含まれる位置データ）を目的地としたルート案内をした場合、目的地周辺にはたどり着けるものの、目的地にはたどり着けない可能性がある。とりわけ、ＧＰＳセンサによって計測された位置データには誤差があり、その大きさによっては、目的地周辺までのルート案内で終了してしまう可能性がある。目的地周辺には同じような種類の墓が並んでいることが多いため、地図上のルート案内が目的地周辺で終了した場合、そこから目的地の墓を探すのは大変である。
【０００７】
本発明は、墓の場所を簡単に伝えることができ、かつ、そこへ適切に案内することができるサーバシステムの技術を提供することを目的とする。
【課題を解決するための手段】
【０００８】
本発明の一態様に係るサーバシステムは、表示部を有するモバイル端末とネットワークを介して通信するサーバシステムであって、故人の墓の位置を含む墓情報を記憶する墓情報記憶部と、モバイル端末から、故人の墓を目的地とするルート案内のリクエスト及びモバイル端末の位置情報を受信する受信部と、リクエストに応答して、モバイル端末の現在位置から故人の墓までのルートを案内する際、モバイル端末が故人の墓の位置から所定範囲外にある場合には、地図上のルート案内を表示部に表示させる情報をモバイル端末に送信する一方、モバイル端末が故人の墓の位置から所定範囲内に近づいた場合には、航空写真上のルート案内を表示部に表示させる情報をモバイル端末に送信する送信部と、を備える。
【０００９】
本発明の一態様に係るサーバシステムによって実行される方法は、表示部を有するモバイル端末とネットワークを介して通信するサーバシステムにおいて実行される方法であって、故人の墓の位置を含む墓情報を記憶するステップと、モバイル端末から、故人の墓を目的地とするルート案内のリクエスト及びモバイル端末の位置情報を受信するステップと、リクエストに応答して、モバイル端末の現在位置から故人の墓までのルートを案内する際、モバイル端末が故人の墓の位置から所定範囲外にある場合には、地図上のルート案内を表示部に表示させる情報を送信する一方、モバイル端末が故人の墓の位置から所定範囲内に近づいた場合には、航空写真上のルート案内を表示部に表示させる情報を送信するステップと、を含む。
【００１０】
本発明の一態様に係るプログラムは、故人の墓の位置を含む墓情報を記憶する墓情報記憶部を有するサーバシステムとネットワークを介して通信するモバイル端末において実行されるプログラムであって、モバイル端末を、
故人の墓を目的地とするルート案内のリクエストを受け付ける手段、
リクエスト及びモバイル端末の位置情報をサーバシステムに送信する手段、
リクエストに応答したサーバシステムより、モバイル端末の現在位置から故人の墓までのルート案内を受信する手段、及び
受信したルート案内をモバイル端末の表示部に表示させる手段であって、モバイル端末が故人の墓の位置から所定範囲外にある場合には地図上のルート案内を表示させる一方、モバイル端末が故人の墓の位置から所定範囲内に近づいた場合には航空写真上のルート案内を表示させる手段、として機能させる。
【発明の効果】
【００１１】
本発明によれば、墓の場所を簡単に伝えることができ、かつ、そこへ適切に案内することができる。
【図面の簡単な説明】
【００１２】
【図１】実施形態に係るサーバシステム及びモバイル端末を含む情報処理システムの概略図である。
【図２】図１のモバイル端末のハードウェア構成を示すブロック図である。
【図３】図１のサーバシステムのハードウェア構成を示すブロック図である。
【図４】図１のサーバシステムのうち、墓情報データベースの一例を示す図である。
【図５】図１の情報処理システムにおけるシーケンス図である。
【図６Ａ−Ｉ】図１のモバイル端末に表示される画面例を示す図である。
【図７Ａ−Ｂ】図１のモバイル端末に表示される画面例の別の例を示す図である。
【図８Ａ−Ｃ】図１のモバイル端末に表示される画面例のまた別の例を示す図である。
【発明を実施するための形態】
【００１３】
上記の添付図面を参照して、本発明の好適な実施形態について説明する。
【００１４】
図１に示すように、情報処理システム１００は、登録者のクライアント端末１１０、１以上の利用者Ｃ１、Ｃ２、…ＣＮ（以下、総称して「Ｃ」と付する。）のモバイル端末１２０−１、１２０−２、…１２０−Ｎ（以下、総称して「１２０」と付する。）及びサーバシステム１３０がネットワーク１４０に接続可能に構成されている。サーバシステム１３０は、クライアント端末１１０及びモバイル端末１２０に墓参り案内のサービスを提供する情報処理装置であり、一つ又は複数のコンピュータにより構成される。ネットワーク１４０は、ＬＡＮ、ＷＡＮ、有線あるいは無線のネットワーク、又は、インターネットなどで構成される。
【００１５】
登録者のクライアント端末１１０は、表示画面を有するコミュニケーション装置又はコンピュータで構成することができ、例えば、デスクトップ型、ラップトップ型あるいはタブレット型のコンピュータ、ＰＤＡ、携帯電話又はスマートフォンで構成される。クライアント端末１１０は、サーバシステム１３０が提供する墓参り案内のサービスを利用するためのソフトウェア（例えば、ウェブブラウザやアプリケーション１１５）を有している。クライアント端末１１０は、登録者が故人の墓情報を登録するのに使用するものである。登録された墓情報は、クライアント端末１１０がネットワーク１４０を介して通信することにより、サーバシステム１３０の所定のデータベースに記録される。故人の墓情報の登録者は、例えば、故人の墓を購入した者（遺族、友人等）や、故人の墓を売った者（小売店、石材店など）のほか、エージェント（葬儀業者、法事業者、霊園業者など）が務めることができる。
【００１６】
利用者（Ｃ）のモバイル端末１２０は、ＧＰＳ（Global Positioning System）機能、通信機能及び表示機能等を有するコンピュータで構成することができる。例えば、モバイル端末１２０は、携帯電話、スマートフォン、ＰＤＡ又はタブレット型のコンピュータで構成される。一例を挙げると、モバイル端末１２０はiPhone（登録商標）ブランドのスマートフォンである。モバイル端末１２０は、サーバシステム１３０が提供する墓参り案内のサービスを利用するためのソフトウェア（例えばアプリケーション）を有している。モバイル端末１２０は、利用者（Ｃ）が故人の墓への道案内（ルート案内）をリクエストするのに使用される。モバイル端末１２０は、ネットワーク１４０を介してサーバシステム１３０と通信することにより、ルート案内のリクエストやモバイル端末１２０の位置情報をサーバシステム１３０に送信する。
【００１７】
図２は、モバイル端末１２０のハードウェア構成を示すブロック図である。モバイル端末１２０は、通信インタフェース２００、ユーザインタフェース２１０、演算処理部２２０、記憶部２３０、及びＧＰＳデバイス２４０を備えている。通信インタフェース２００は、移動体通信用アンテナ２０１及び無線アンテナ２０２を有している。モバイル端末１２０は、移動体通信用アンテナ２０１を通じてネットワーク１４０に接続され、サーバシステム１３０との間でデータ通信を行う。また、モバイル端末１２０は、無線アンテナ２０２を通じて例えばウエアラブルデバイスに接続され、ウエアラブルデバイスとの間でデータ通信を行う。無線アンテナ２０２は、例えば、Bluetooth（登録商標）や、NFCといった所定の規格に対応したものを用いることができる。
【００１８】
ユーザインタフェース２１０は、タッチパネル２１１及びマイクロフォン２１２を有している。タッチパネル２１１は、表示装置及び入力装置の両方の機能を備える。タッチパネル２１１の表示機能は液晶などのディスプレイにより構成され、ディスプレイの画面上にルート案内等が表示される。タッチパネル２１１の入力機能は、タッチセンサにより構成され、ディスプレイの画面上でのユーザの指触操作（タップやスワイプなどの操作）を検知する。マイクロフォン２１２は、音声入力装置として機能する。その他、周知のように、ハードキーやボタン、スピーカーなどもユーザインタフェース２１０に含めることができる。
【００１９】
演算処理部２２０は、１つ以上のプロセッサからなり、ＣＰＵやＭＰＵ等によって構成される。演算処理部２２０は、各種入力に基づいて、記憶部２３０に記憶されたプログラム、モジュール及び／又は命令を実行することで、種々の機能部を動作させる。このプログラム等は、例えばネットワーク１４０を介してダウンロードされることでモバイル端末１２０にインストールされる。演算処理部２２０は、種々の機能部として、入力受付部２２１、送信部２２２、受信部２２３及び表示制御部２２４を有している。入力受付部２２１は、ユーザインタフェース２１０を介して利用者（Ｃ）からの入力を受け付ける。例えば、入力受付部２２１は、タッチパネル２１１の操作により入力された墓へのルート案内のリクエストを受け付ける。送信部２２２は、通信インタフェース２００を介してサーバシステム１３０に種々の情報を送信する。例えば、送信部２２２は、入力受付部２２１で受け付けたリクエストをモバイル端末１２０の位置情報とともに、移動体通信用アンテナ２０１を介してサーバシステム１３０に送信する。同様に、受信部２２３は、通信インタフェース２００を介してサーバシステム１３０から種々の情報を受信する。例えば、受信部２２３は、通信インタフェース２００を介してサーバシステム１３０から、モバイル端末１２０の現在位置から墓までのルート案内を受信する。表示制御部２２４は、例えば、サーバシステム１３０から受信した、ルート案内、墓までの距離、方向、墓の写真、墓の位置を示す指標、墓の周辺にある参照箇所を示す指標などの各種情報をタッチパネル２１１に表示させる。
【００２０】
記憶部２３０は、ハードディスクドライブ、ＳＳＤ、ＲＡＭなどの記憶装置によって構成され、演算処理部２２０における処理の実行に必要な各種プログラムや、各種プログラムの実行に必要なデータ等を記憶する。記憶部２３０は、不揮発性メモリを含むことができ、不揮発性メモリは、非一時的なコンピュータ読み取り可能な記憶媒体を備える。また、記憶部２３０は、サーバシステム１３０が提供する墓参り案内のサービスを利用するためのソフトウェアを記憶する。記憶部２３０は、ユーザがユーザインタフェース２１０を介して入力した情報を記憶し、また、サーバシステム１３０から送信される各種情報を一時的に記憶する。
【００２１】
ＧＰＳデバイス２４０は、モバイル端末１２０の位置を測定する位置測定システムであり、モバイル端末１２０の位置を示すＧＰＳデータ（位置情報）を取得する。ユーザがモバイル端末１２０を保有して移動しているとき、モバイル端末１２０の位置はユーザの位置を反映したものとなる。ＧＰＳデバイス２４０は、取得したＧＰＳデータを演算処理部２２０に出力する。なお、ＧＰＳが利用できない場合は、セルラ三角測量法を用いて位置が判断され得る。
【００２２】
図３は、サーバシステム１３０のハードウェア構成を示すブロック図である。サーバシステム１３０は、通信インタフェース３１０、演算処理部３２０及び記憶部３３０を備えている。通信インタフェース３１０は、サーバシステム１３０をネットワーク１４０に接続する。演算処理部３２０は、１つ以上のプロセッサからなり、ＣＰＵやＭＰＵ等によって構成される。演算処理部３２０は、各種入力に基づいて、記憶部３３０に記憶されたプログラム、モジュール及び／又は命令を実行することで、種々の機能部を動作させる。このプログラム等は、ＣＤ−ＲＯＭやＵＳＢメモリなどの記憶媒体に記憶されるか、あるいはネットワーク１４０を介してダウンロードされることで、コンピュータにインストールされる。
【００２３】
記憶部３３０は、ハードディスクドライブ、ＳＳＤ、ＲＡＭなどの記憶装置によって構成され、演算処理部３２０における処理の実行に必要な各種プログラムや、各種プログラムの実行に必要なデータ等を記憶している。記憶部３３０は、不揮発性メモリを含むことができ、不揮発性メモリは、非一時的なコンピュータ読み取り可能な記憶媒体を備える。また、記憶部３３０は、サーバシステム１３０において実行される墓参り案内サービスに係る方法を利用するためのソフトウェア（例えば、ウェブブラウザやアプリケーション）を記憶している。また、記憶部３３０は、墓情報ＤＢ３３１、登録者ＤＢ３３２及び利用者ＤＢ３３３を記憶している。
【００２４】
墓情報ＤＢ３３１（墓情報記憶部）は、図４に示すように、故人ＩＤに対応付けて、故人の名前、墓の位置、墓の区画・番号、墓の写真及び参照箇所の情報が記憶されている。墓の位置とは、故人の墓の所在地であり、具体的にはその故人の墓が存在する経度及び緯度をいう。このような墓の位置（経度及び緯度）に関する情報は、例えばＧＰＳ機能及びカメラ機能付きのモバイル端末を用いて墓を撮影することで取得することが可能である。墓の区画・番号とは、例えば霊園が個々の墓の管理のために使用するものであり、霊園によって割り振られるものである。墓の写真は、その故人の墓を撮影したものであり、１つ以上の写真が記憶される。墓の写真は、霊園内における墓の写真とするとよい。参照箇所とは、墓の周辺にある参照物をいい、例えば霊園の管理事務所、霊園内の水汲み場、霊園の門、入口、出口などをいう。参照箇所は、霊園内又は霊園外のものとすることができ、例えば、大きな木、大きな道路、建物、店舗など、墓との位置関係（例えば参照箇所から見た墓の方位や距離）がわかるような目印となるものであればよい。記憶される参照箇所の情報としては、例えば、その参照箇所の名称、その説明（参照箇所そのものの説明や、参照箇所と墓との位置関係についての説明など）及び参照箇所の写真とすることができる。また、参照箇所の位置情報（経度及び緯度）についても、墓の位置情報と同様に、例えばＧＰＳ機能及びカメラ機能付きのモバイル端末を用いて撮影されることで取得され、墓情報ＤＢ３３１に記憶される。墓情報ＤＢ３３１に記憶される情報は、登録者がクライアント端末１１０を通じて入力し、登録される。
【００２５】
登録者ＤＢ３３２は、登録者の固有の情報、例えば登録者の氏名又は名称のほか、登録者のアカウントにログインするためのＩＤ及びパスワードなどを記憶している。また、登録者ＤＢ３３２は、登録者に対応付けて、その登録者が登録した墓情報の故人ＩＤを記憶している。利用者ＤＢ３３３は、利用者（Ｃ）の固有の情報、例えば利用者（Ｃ）の氏名又は名称のほか、利用者（Ｃ）のアカウントにログインするためのＩＤ及びパスワードなどを記憶している。利用者ＤＢ３３３は、利用者（Ｃ）に対応付けて、その利用者（Ｃ）が過去にアクセスした又は現在アクセス可能な故人の墓情報に関する故人ＩＤを記憶している。すなわち、利用者ＤＢ３３３は、利用者（Ｃ）に対応付けて、その利用者（Ｃ）にルート案内を提供できる故人ＩＤを記憶している。
【００２６】
再び図３に戻って説明するに、演算処理部３２０は、種々の機能部として、受信部３２１、判定部３２２及び送信部３２３を備えている。受信部３２１は、通信インタフェース３１０を介してクライアント端末１１０及びモバイル端末１２０から種々の情報を受信又は取得する。例えば、受信部３２１は、モバイル端末１２０において入力される利用者（Ｃ）のログインＩＤ及びパスワード並びに墓へのルート案内のリクエストを受信する。また、受信部３２１は、モバイル端末１２０の位置情報を受信し、さらには、モバイル端末１２０において選択されたその墓への移動モード（車や徒歩など）を受信する。受信部３２１が受信した各種情報は、記憶部３３０に一時的に記憶される。判定部３２２は、利用者ＤＢ３３３を参照し、受信部３２１が受信したログイン情報の適否を判定する。また、判定部３２２は、受信したモバイル端末１２０の位置情報と、墓情報ＤＢ３３１内に記憶された墓の位置とに基づいて、モバイル端末１２０が目的地の墓の位置から所定範囲内に近づいたか否かを判定する。判定部３２２によってなされた判定結果は、記憶部３３０に一時的に記憶される。送信部３２３は、通信インタフェース３１０を介して種々の情報をモバイル端末１２０に送信する。例えば、送信部３２３は、ルート案内のリクエストに応答して、モバイル端末１２０の現在位置から故人の墓までのルートを案内する際、そのルート案内をモバイル端末１２０のタッチパネル２１１に表示させる情報を送信する。他のデータも同様に送信される。例えば、送信部３２３は、墓情報ＤＢ３３１を参照し、ルート案内中に、墓の写真や墓の周辺にある参照箇所などの情報をモバイル端末１２０に送信し、タッチパネル２１１に表示させる。
【００２７】
ここで、サーバシステム１３０は、上記機能を持つものであれば、特に制限はなく、クラウド・コンピューティングなどであってもよい。また、サーバシステム１３０を複数のコンピュータによって構成する場合、例えば、演算処理部３２０の各機能部のためのコンピュータと、記憶部３３０の各データベース（３３１〜３３３）のためのコンピュータとに分けることができる。また、演算処理部３２０の各機能部についてもコンピュータを分けることができる。例えば、受信部３２１及び送信部３２３のためのコンピュータ（ユーザとの直接インタフェースを果たすもの）と、判定部３２２のためのコンピュータ（前者のコンピュータと記憶部３３０のためのコンピュータとの仲介を果たすもの）とに分けることができる。
【００２８】
次に、図５を用いて、情報処理システム１００における一連の処理フローの一例を説明する。その際、適宜、図６を参照し、利用者（Ｃ）がモバイル端末１２０で上記の墓参り案内サービスのソフトウェアを利用するときにタッチパネル２１１に表示される画面例を説明する。
【００２９】
まず、登録者がクライアント端末１１０を操作して、故人の墓情報を入力する（Ｓ１０）。これがサーバシステム１３０に受信され、墓情報ＤＢ３３１に記憶される（Ｓ１１）。故人の墓情報は、図４に示したように、少なくとも故人の名前及び墓の位置を含み、選択的に、墓の区画・番号、墓の写真及び参照箇所の情報を含んでいる。
【００３０】
利用者（Ｃ）がモバイル端末１２０を操作して、サーバシステム１３０が提供する墓参り案内のサービスを利用するためのアプリケーションを起動し、自身のＩＤ及びパスワードを入力してログインする（Ｓ２０。参照：図６Ａ）。ログイン後、その利用者（Ｃ）に提供可能な故人の墓のルート案内に関して、一以上の故人を含むリスト（ルート案内提供可能故人リスト）がサーバシステム１３０からモバイル端末１２０に送られ、タッチパネル２１１に一以上の故人が選択可能に表示される（参照：図６Ｂのプルダウンリスト４００）。モバイル端末１２０の現在の位置情報がＧＰＳデバイス２４０によって取得される（Ｓ２１）。利用者（Ｃ）がモバイル端末１２０をさらに操作して、表示されたルート案内提供可能故人リストから、墓へのルート案内をしてもらいたい故人を選択すると、その故人の墓を目的地とするルート案内のリクエストがモバイル端末１２０で受け付けられ、サーバシステム１３０に送信される（Ｓ２２）。一例を挙げると、図６Ｂに示すように、プルダウンリスト４００にあるルート案内提供可能故人リストから、ルート案内をしてもらいたい故人として「特許太郎」が選択され、アイコン４１０の「道案内」がタップ（入力）されると、「特許太郎」の墓を目的地とするルート案内のリクエストがモバイル端末１２０からサーバシステム１３０に送信される。
【００３１】
サーバシステム１３０は、ルート案内のリクエスト及びモバイル端末１２０の現在の位置情報を受信する（Ｓ２３）。そして、サーバシステム１３０は、その故人の墓に関する情報（目的地情報）をモバイル端末１２０に送信し（Ｓ２４）、タッチパネル２１１に表示させる（Ｓ２５）。目的地情報は、例えば図６Ｃに示すように、目的地である故人の墓の位置を示す指標４２０、墓の区画・番号４２１、墓周辺のマップ４２２、墓の写真４２３、及び、モバイル端末１２０の現在位置から墓までの距離４２４に関する情報である。指標４２０は、どのような態様も取ることができるが、ここでは円形の中に墓の形状を描いたものが使われている。マップ４２２では、指標４２０がマップ４２２の中心に位置し、墓の区画・番号４２１が指標４２０の近くに表示される。墓の区画・番号４２１及び写真４２３は、墓情報ＤＢ３３１に登録されたものである（参照：図４の故人ＩＤ「１」）。墓の写真４２３が表示されているアイコンをタップすると、図６Ｄに示すように写真が拡大表示される。マップ４２２の表示モードは、航空写真又は地図との間で切り替えることができ、アイコン４３０の「航空写真」をタップすると、アイコン４３０からチェックマークが外れて、地図上の表示に切り替わる（参照：図７Ａ、７Ｂ）。墓までの距離４２４は、図６Ｃでは「計測中」と表示されているが、計測が終わると、図７Ａ及びＢに示すように「あと１００ｍ」などと具体的な数値が表示される。
【００３２】
続いて、利用者（Ｃ）がモバイル端末１２０を操作して、目的地の墓までの移動モードを選択すると（Ｓ２６）、これを受信したサーバシステム１３０は、選択された移動モードに応じたルート探索を行い（Ｓ２７）、ルート案内をモバイル端末１２０に送信する（Ｓ２８）。モバイル端末１２０がルート案内を受信すると（Ｓ２９）、タッチパネル２１１にルート案内を表示する（Ｓ３０）。ここで、移動モードとは、車、徒歩、公共交通機関（電車、バスなど）、自転車などのモードがあるが、このうち、少なくとも、車及び徒歩を含むものとなっている。図６Ｃに示す画面では、車及び徒歩の移動モードを選択できるように、車のアイコン４４０及び徒歩のアイコン４４２が表示される。そして、例えば、図６Ｅに示すように車のアイコン４４０がタップされると、サーバシステム１３０は、選択された移動モード「車」に応じたルート探索を開始し、図６Ｆに示すようにルート案内をモバイル端末１２０に提供する。ここで、ルート探索及びルート案内は、インターネットを通して提供されている地図（例えばGoogleマップ）の機能によって実行することができる。すなわち、サーバシステム１３０は、道、建物及び現在の交通状況などを含む様々なデータを有するマップデータ（インターネットを通して提供されているもの）にアクセスし、選択された移動モードに応じたルート探索・ルート案内をモバイル端末１２０に提供する。
【００３３】
Ｓ３０におけるルート案内の表示は、まず、地図上のルート案内（Ｒ１０）から始まる（参照：図６Ｆ）。上記したマップ４２２の表示モードと同様に、ルート案内の表示モードとして少なくとも地図及び航空写真が用意されている。ルート案内中、モバイル端末１２０の位置情報は随時サーバシステム１３０に送られていて（Ｓ３１）、タッチパネル２１１に表示されるルート案内の情報は、モバイル端末１２０の現在位置の変化に応じて随時更新される。モバイル端末１２０の現在位置が目的地から所定範囲内に近づいたと判定されるまでは（Ｓ３２：Ｎｏ）、地図上の表示モード（Ｒ１０）が継続される（参照：図６Ｆ）。すなわち、モバイル端末１２０が故人の墓の位置から所定範囲外にある場合には、地図上のルート案内（Ｒ１０）がタッチパネル２１１に表示され続ける。
【００３４】
一方、モバイル端末１２０の現在位置が目的地から所定範囲内に近づいたと判定されると（Ｓ３２：Ｙｅｓ）、航空写真上の表示モード（Ｒ２０）に切り替わる（Ｓ３５。参照：図６Ｇ）。すなわち、モバイル端末１２０が故人の墓の位置から所定範囲内に近づいた場合には、航空写真上のルート案内（Ｒ２０）がタッチパネル２１１に表示される。その後は、タッチパネル２１１に表示される航空写真上のルート案内の情報が、モバイル端末１２０の現在位置の変化に応じて随時更新される。
【００３５】
ここで、地図上のルート案内（Ｒ１０）から航空写真上のルート案内（Ｒ２０）に表示を切り替える基準となる「所定範囲」としては、目的地からの所定の半径方向距離、直線距離又は歩行時間を用いることができる。例えば、「所定範囲」は、目的地から１０ｍ、２０ｍ又は５０ｍの半径方向距離又は直線距離に設定したり、あるいは、目的地から３０秒又は１分の歩行時間に設定したりすることができる。また、「所定範囲」は、利用者（Ｃ）が調整することができるものであってもよい。例えば、利用者（Ｃ）は、自身のモバイル端末１２０を使ってデフォルトの「所定範囲」（例えば目的地から１０ｍ）を調整し、その調整した所定範囲（例えば目的地から５ｍ）の設定をモバイル端末１２０からサーバシステム１３０に送信してもよい。また、「所定範囲」は、選択された移動モードに応じて大きさが変更されてもよい。例えば、移動モードが徒歩の場合には、移動モードが車の場合に比べて、「所定範囲」の大きさを小さくしてもよい。
【００３６】
また、ある実施態様においては、移動モードが「徒歩」の場合にのみ、地図上のルート案内（Ｒ１０）から航空写真上のルート案内（Ｒ２０）に表示を切り替えるようにしてもよい。例えば、移動モードとして「車」が選択された状態でルート案内をしている場合、移動モードが「徒歩」に切り替えられたことを条件に、モバイル端末１２０の現在位置が目的地から所定範囲内に近づいたか否かを判定し、近づいたことが判定された場合に、地図上のルート案内（Ｒ１０）から航空写真上のルート案内（Ｒ２０）に表示を切り替えるようにしてもよい。なお、「車」から「徒歩」への移動モードの切り替えは、利用者（Ｃ）が自身のモバイル端末１２０を操作することで行うことができる。あるいは、モバイル端末１２０の速度又は加速度を検出し（例えばモバイル端末１２０に搭載した図示省略の加速度センサを用いて検出する。）、その検出結果に基づいて、モバイル端末１２０又はサーバシステム１３０が、モバイル端末１２０を保有する利用者（Ｃ）が移動手段を車から徒歩に切り替えたと判定し、ルート案内の移動モードを「車」から「徒歩」に切り替えてもよい。
【００３７】
さらに、ある実施態様においては、地図上のルート案内（Ｒ１０）から航空写真上のルート案内（Ｒ２０）に表示を切り替える前に、故人の墓の写真を含む情報ウィンドウをタッチパネル２１１に表示させてもよい（Ｓ３３）。図６Ｈは、モバイル端末１２０が故人の墓の位置から所定範囲内に近づいた場合（Ｓ３２でＹｅｓの場合）に表示される画面例であり、図６Ｇの画面（Ｓ３５の画面）の前に表示されるものである。図６Ｈに示すように、タッチパネル２１１では、地図上のルート案内（Ｒ１０）の表示がなくなり、目的地である墓の写真４５０を含む情報ウィンドウ４５２が表示される。なお、ここでは、墓の写真４５０として、上記の故人ＩＤ「１」のものとは異なるものが用いられている。情報ウィンドウ４５２は、墓の写真４５０を示すフィールド４６０と、今後のルート案内が地図上のものから航空写真上のものに切り替わる旨を示すフィールド４６２と、情報ウィンドウ４５２を閉じるためのフィールド４６４と、を有している。フィールド４６４の「閉じる」をタップすると、情報ウィンドウ４５２が閉じられ（Ｓ３４）、航空写真上のルート案内（Ｒ２０）が表示されることになる（Ｓ３５。参照：図６Ｉ）。このように、ルート案内の表示モードの切り替え前に情報ウィンドウ４５２をポップアップさせることで、一般に表示モードの切り替えが行われないルート案内に慣れている利用者（Ｃ）に、ルート案内の態様が変わることを事前に知らせることができる。なお、地図上のルート案内（Ｒ１０）から航空写真上のルート案内（Ｒ２０）に表示に切り替わる際、例えば、図６Ｆの画面から図６Ｉの画面に遷移してもよい。すなわち、図６Ｇ及びＨの画面を経なくてもよい。
【００３８】
上記のとおり、航空写真上のルート案内（Ｒ２０）の画面例の一例は図６Ｇであり、別の例は図６Ｉであるが、図６Ｉの方がユーザフレンドリーなものとなっている。図６Ｉに示すように、タッチパネル２１１は、航空写真上のルート案内（Ｒ２０）を表示する第１の表示領域４７１と、墓の写真４５０を表示する第２の表示領域４７２と、その墓までの距離を示す第３の表示領域４７３と、を有している。第１の表示領域４７１には、例えば、目的地である墓の位置を示す指標４８０、墓の区画・番号４８１及び墓周辺の航空写真４８２が表示される。指標４８０は、第１の表示領域４７１（航空写真４８２）の中心に位置し、墓の区画・番号４８１が指標４８０の近くに表示される。墓の区画・番号４８１及び写真４５０は、上記のとおり、墓情報ＤＢ３３１に登録されたものである。第３の表示領域４７３における墓の写真４５０をタップすると、その拡大写真が表示されるようになっている。このように、タッチパネル２１１は、航空写真上のルート案内（Ｒ２０）を表示させながら、これとは異なる表示領域に墓の写真４５０及び墓までの距離を表示させる。なお、墓までの距離と併せて又はこれとは別に、モバイル端末１２０から墓までの方向を第３の表示領域４７３に表示させてもよい。
【００３９】
図８Ａ〜Ｃは、利用者（Ｃ）が上記の墓参り案内サービスのソフトウェアを利用するときに表示される別の画面例を示している。図８Ａは、利用者（Ｃ）が図６Ｂのアイコン４１０の「道案内」をタップ（入力）したときに表示される画面例（図６Ｃに代わる画面例）である。この画面には、図６Ｃの画面で表示されるものに加えて、参照箇所の位置を示す指標４９０が含まれている。指標４９０は、目的地（故人の墓）を示す指標４２０とは異なる態様であればよく、ここでは円形の中に「！」を描いたものが用いられている。指標４９０が示す参照箇所は、墓情報ＤＢ３３１に登録されたものである（参照：図４の故人ＩＤ「１」）。図８Ａにおいて航空写真上のルート案内（Ｒ２０）を示す画面は、目的地を中心とした画面となっている。
【００４０】
利用者（Ｃ）がタッチパネル２１１上の指標４９０をタップすると、その操作に応答して、図８Ｂに示すように、タッチパネル２１１には参照箇所に関する情報を表示するためのフィールド４９２が表れる。フィールド４９２に表示する情報としては、参照箇所の名称や説明であり、ここでは、「八柱霊園  南門」という参照箇所の名称が表示されている。図８Ｂにおいて航空写真上のルート案内（Ｒ２０）を示す画面は、参照箇所を中心とした画面となっている。利用者（Ｃ）がさらにタッチパネル２１１上のフィールド４９２をタップすると、その操作に応答して、図８Ｃに示すように、タッチパネル２１１には参照箇所の写真４９４が拡大表示される。この写真４９４や、フィールド４９２に表示される参照箇所に関する情報は、墓情報ＤＢ３３１に登録されたものである（参照：図４の故人ＩＤ「１」）。
【００４１】
なお、図８Ａ〜Ｃに示す画面例を図６Ｉの画面例に適用できることは言うまでもない。すなわち、航空写真上のルート案内中に、図６Ｉに示す第１の表示領域４７１に、目的地である墓の位置を示す指標４８０と参照箇所の位置を示す指標４９０とを航空写真上のルート案内に重ねるように表示させることができる。また、参照箇所は複数あってもよい。航空写真上のルート案内中に墓の指標４８０に加えて参照箇所の指標４９０が表示されることで、利用者（Ｃ）は目的地（墓）と参照箇所との位置関係を容易に把握することができるようになり、目的地（墓）に向かってどちらの方位に歩けばよいのかを容易に理解することができるようになる。
【００４２】
以上説明した本実施形態のサーバシステム１３０は、表示部２１１を有するモバイル端末１２０とネットワーク１４０を介して通信するサーバシステム１３０であって、故人の墓の位置を含む墓情報を記憶する墓情報記憶部（墓情報ＤＢ３３１）と、モバイル端末１２０から、故人の墓を目的地とするルート案内のリクエスト及びモバイル端末１２０の位置情報を受信する受信部３２１と、リクエストに応答して、モバイル端末１２０の現在位置から故人の墓までのルートを案内する際、モバイル端末１２０が故人の墓の位置から所定範囲外にある場合には、地図上のルート案内を表示部２１１に表示させる情報をモバイル端末１２０に送信する一方、モバイル端末１２０が故人の墓の位置から所定範囲内に近づいた場合には、航空写真上のルート案内を表示部２１１に表示させる情報をモバイル端末１２０に送信する送信部３２３と、を備える。
【００４３】
また、本実施形態のプログラムは、故人の墓の位置を含む墓情報を記憶する墓情報記憶部３３１を有するサーバシステム１３０とネットワーク１４０を介して通信するモバイル端末１２０において実行されるプログラムであって、モバイル端末１２０を、
故人の墓を目的地とするルート案内のリクエストを受け付ける手段（入力受付部２２１）、
リクエスト及びモバイル端末１２０の位置情報をサーバシステム１３０に送信する手段（送信部２２２）、
リクエストに応答したサーバシステム１３０より、モバイル端末１２０の現在位置から故人の墓までのルート案内を受信する手段（受信部２２３）、及び
受信したルート案内をモバイル端末１２０の表示部２１１に表示させる手段（表示制御部２２４）であって、モバイル端末１２０が故人の墓の位置から所定範囲外にある場合には地図上のルート案内を表示させる一方、モバイル端末が故人の墓の位置から所定範囲内に近づいた場合には航空写真上のルート案内を表示させる手段（表示制御部２２４）、として機能させる。
【００４４】
このような実施形態によれば、モバイル端末１２０の利用者（Ｃ）に故人の墓の場所を簡単に伝えることができ、かつ、そこへ適切に案内することができる。とりわけ、モバイル端末１２０が故人の墓の位置から所定範囲内に近づくと、地図上のルート案内から航空写真上のルート案内に表示が切り替わるため、利用者（Ｃ）が目的地の故人の墓にたどり着きやすくなる。
【００４５】
以上、具体例を参照しつつ本発明の実施形態について説明した。以上の具体例は、本発明を説明するための例示であり、本発明をその実施形態のみに限定する趣旨ではない。すなわち、これら具体例に、当業者が適宜設計変更を加えたものも、本発明の特徴を備えている限り、本発明の範囲に包含される。例えば、前述した各具体例が備える各要素などは、例示したものに限定されるわけではなく適宜変更することができる。
【符号の説明】
【００４６】
１００…情報処理システム、１１０…クライアント端末、１１５…アプリケーション、１２０…モバイル端末、１３０…サーバシステム、１４０…ネットワーク、２００…通信インタフェース、２０１…移動体通信用アンテナ、２０２…無線アンテナ、２１０…ユーザインタフェース、２１１…タッチパネル、２１２…マイクロフォン、２２０…演算処理部、２２１…入力受付部、２２２…送信部、２２３…受信部、２２４…表示制御部、２３０…記憶部、２４０…ＧＰＳデバイス、３１０…通信インタフェース、３２０…演算処理部、３２１…受信部、３２２…判定部、３２３…送信部、３３０…記憶部、３３１…墓情報ＤＢ、３３２…登録者ＤＢ、３３３…利用者ＤＢ、４００…プルダウンリスト、４１０…アイコン、４２０…指標、４２２…マップ、４２３…写真、４２４…距離、４３０、４４０、４４２…アイコン、４５０…写真、４５２…情報ウィンドウ、４６０、４６２、４６４…フィールド、４７１…第１の表示領域、４７２…第２の表示領域、４７３…第３の表示領域、４８０…指標、４８２…航空写真、４９０…指標、４９２…フィールド、４９４…写真、Ｃ…利用者、Ｒ１０…地図上の表示モード、Ｒ２０…航空写真上の表示モード
【図１】
2019028846.tif 000003
【図２】
2019028846.tif 000004
【図３】
2019028846.tif 000005
【図４】
2019028846.tif 000006
【図５】
2019028846.tif 000007
【図６Ａ】
2019028846.tif 000008
【図６Ｂ】
2019028846.tif 000009
【図６Ｃ】
2019028846.tif 000010
【図６Ｄ】
2019028846.tif 000011
【図６Ｅ】
2019028846.tif 000012
【図６Ｆ】
2019028846.tif 000013
【図６Ｇ】
2019028846.tif 000014
【図６Ｈ】
2019028846.tif 000015
【図６Ｉ】
2019028846.tif 000016
【図７Ａ】
2019028846.tif 000017
【図７Ｂ】
2019028846.tif 000018
【図８Ａ】
2019028846.tif 000019
【図８Ｂ】
2019028846.tif 000020
【図８Ｃ】
2019028846.tif 000021